(57)【要約】【課題】  蓄冷材、蓄熱材等を収納することによって、ペットに好適な居住環境を有するペット用キャリーバッグと台車とペット用キャリーバッグの組合せ構造を提供する。【解決手段】  ペット用キャリーバッグは、バッグ本体の前面にペットの出入り口を設け、後面に垂れ幕付の通気窓を設け、上面には覗き窓を有する蓋を設け、バッグ本体の底面と周壁は断熱材をもって形成し、周壁の外面には手提げバンドを取り付け、内面には蓄冷材又は蓄熱材等の温度調節材を収納するポケットを設けてなる。また、台車とペット用キャリーバッグの組合せ構造は、ペット用キャリーバッグの周壁外面にワンタッチ開放操作の差込バックルのソケット（メス）またはプラグ（オス）のいずれか一方を取り付け、台車の側面には差込バックルの他方側のプラグ（オス）またはソケット（メス）のいずれか一方を取り付けることにより着脱自在に組み合わせ可能とした。【選択図】  図１
2009065905.tif 000002
【特許請求の範囲】
【請求項１】
バッグ本体の前面にペットの出入り口を設け、後面に垂れ幕付の通気窓を設け、上面には覗き窓を有する蓋を設けてなり、バッグ本体の底面と周壁は断熱材をもって形成するとともに、周壁の外面には手提げバンドを取り付け、内面には蓄冷材又は蓄熱材等の温度調節材を収納するポケットを設けたことを特徴とするペット用キャリーバッグ。
【請求項２】
ペットの出入り口と上面の蓋はスライドファスナーによって開閉自在に形成されていることを特徴とする請求項１に記載のペット用キャリーバッグ。
【請求項３】
ペット用キャリーバッグの周壁外面にワンタッチ開放操作の差込バックルのソケット（メス）またはプラグ（オス）のいずれか一方を取り付け、ハンドル付台車の側面に差込バックルのプラグ（オス）またはソケット（メス）のいずれか一方を取り付けることによってペット用キャリーバッグとハンドル付台車を着脱自在に組み合わせ可能としたことを特徴とする台車とペット用キャリーバッグの組合せ構造。
【請求項４】
ペット用キャリーバッグは、請求項１に記載のペット用キャリーバッグの構成である
ことを特徴とする請求項３に記載の台車とペット用キャリーバッグの組合せ構造。
【請求項５】
ハンドル付台車は、２分割して形成された前方部と後方部とを前後方向にスライド可能に組み立てられていることを特徴とする請求項３又は４に記載の台車とペット用キャリーバッグの組合せ構造。
【発明の詳細な説明】
【技術分野】
【０００１】
この発明は、例えば犬、猫等のペットを入れて運搬するペット用キャリーバッグ及び台車とペット用キャリーバッグの組合せ構造に係り、夏季、冬季のいずれの場合でも居住環境を良好に維持しながら運搬することができるペット用キャリーバッグ及び台車と着脱自在に組み合わせることにより容易に運搬することができる台車とペット用キャリーバッグの組合せ構造に関するものである。
【背景技術】
【０００２】
人と動物の共同生活には長い歴史があり、人の歴史において動物は多くの働きをし、人と動物は一緒に生活してきました。動物に触れたり、一緒に過ごすときは、気持ちがゆったりして癒されます。最近では、動物と生活することで精神生活の安寧や子供の成長、健康の増進、機能障害の回復、また、他人とのコミュニケーションの促進などに有効な効果をもたらすといわれている。
【０００３】
犬、猫等のペットは、専用のキャリーバッグに入れられて運搬されるが、冬季の寒さや夏季の暑さはペットにとっては耐え難い。そこで、ペット用ハウスには、床を上板と下板からなる二重構造にして、この二重構造とした空間に保温液を貯蔵するためのタンクを着脱自在に挿入するようにしたものがあり、また、屋根側の略全面に蓄冷材を収納可能な収納室を設けたものが提案されている。
【０００４】
また、従来のキャリーバッグには、底面にキャスターが取り付けられ、引っ張って移動できるように構成されているが、キャスターはバッグに一体に取り付けられており取り外すことはできない。
収納室内を冷却可能なペット用ハウスとして、例えば特開平７−１６０３２号公報及び特開２００５−１１８０１２号公報があり、牽引可能なキャリーバッグに関しては、例えば特開平８−２８０２９１がある。
【特許文献１】特開平７−１６０３２号公報
【特許文献２】特開２００５−１１８０１２号公報
【特許文献３】特開平８−２８０２９１号公報
【発明の開示】
【発明が解決しようとする課題】
【０００５】
上記ペットハウスに関する文献はいずれも所定の場所に設置して使用するものであり、ペットを運搬するキャリーバッグについては何ら提案されていない。特開平７−１６０３２号公報記載のペットハウスは、床を保温するものであるから、ペットの体が直接保温液によって加熱されることになり、ペットによっては低温火傷をするおそれがあり、また保温液を貯蔵するタンクが雨水等によって汚染されやすい。
【０００６】
さらに、特開２００５−１１８０１２号公報記載のペットハウスは、屋根側の略全面に設けた収納室に蓄冷材を収納するものである。屋根側に蓄冷材を収納した場合には、直接日に当たるから長時間冷却できないばかりでなく、冷気を効率よく循環することができない。
【０００７】
また、従来のペット用キャリーバッグにはキャスターは付いているものの、保温剤や冷却剤を収納することができず、ペットを収容したバッグ内の温度を調節することができなかった。一方、キャスターつきキャリーバッグは、キャスターがバッグ本体に一体に取り付けられており容易に取り外すことができないから、キャスターを付けたまま自動車の座席に乗せたり、室内に置かざるを得なかった。
【０００８】
この発明は上記の問題点を解決するためになされたもので、バッグ内に設けたポケットに蓄冷材又は蓄熱材を収納することにより温度調節を可能としたペット用キャリーバッグを提供しようとするものである。さらに、この発明は、ペット用キャリーバッグと台車とを着脱自在に組み合わせることができるようにすることによって、キャリーバッグとキャスター付きキャリーバッグの両方に使用可能とした台車とペット用キャリーバッグの組合せ構造を提供するものである。
【課題を解決するための手段】
【０００９】
この発明に係るペット用キャリーバッグは、バッグ本体の前面にペットの出入り口を設け、反対側の後面に垂れ幕付の通気窓を設け、上面には覗き窓を有する蓋を設けてなる。バッグ本体の底面と周壁は前記ペットの出入り口と通気窓の部分を除いて断熱材をもって形成されている。周壁の外面には手提げバンドを取り付け、内面には蓄冷材又は蓄熱材等の温度調節材を収納するポケットを設けたことを特徴とする。ペットの出入り口と上面の蓋はスライドファスナーによって開閉自在に形成することが好ましい。
また、この発明にかかる台車とペット用キャリーバッグの組合せ構造は、ペット用キャリーバッグの周壁外面にワンタッチ開放操作の差込バックルのソケット（メス）またはプラグ（オス）のいずれか一方を取り付け、台車はハンドル付台車であって、側面に前記ペット用キャリーバッグの差込バックルに連結するように、差込バックルのプラグ（オス）またはソケット（メス）のいずれか一方を取り付けることによってペット用キャリーバッグとハンドル付台車を着脱自在に組み合わせ可能としたことを特徴とする。台車と組み合わせられるペット用キャリーバッグは、バッグ本体の前面にペットの出入り口を設け、後面に垂れ幕付の通気窓を設け、上面には覗き窓を有する蓋を設けてなり、バッグ本体の底面と周壁は断熱材をもって形成するとともに、周壁の外面には手提げバンドを取り付け、内面には蓄冷材又は蓄熱材等の温度調節材を収納するポケットを設け構成とすることができる。また、ハンドル付台車は、２分割して形成された前方部と後方部とを前後方向にスライド可能に組み立てられている構成とすることができる。
【発明の効果】
【００１０】
この発明のペット用キャリーバッグは、収容室内のポケットに温度調節材を収納することにより温度が容易に調節され、ペットに好適な居住環境を提供することができる。また、ペット用キャリーバッグと台車とを着脱自在に組み合わせ可能とすることによって、ペット用キャリーバッグとキャスター付キャリーバッグの両方の使用が可能である。さらに、ペット用キャリーバッグを手に提げたり肩に担いだときにもバッグが変形することが少ないから、ペットを不安定にさせたりペットに不快感を与えることがなく、安定した状態を確保することができる。また、ペット用キャリーバッグと台車とを分離することにより、それぞれ各別に機能させることができる。
【発明を実施するための最良の形態】
【００１１】
以下に、図示する実施形態について説明する。本願発明に係るペット用キャリーバッグについて説明する。ペット用キャリーバッグ１（以下、単にキャリーバッグという）は、図１〜４に示すように、ペットを収容するバッグ本体２の側面に手提げバンド３を取り付けてなり、バッグ本体２の前面にはペットの出入口６が設けられ、上面には覗き窓を備えた蓋４が設けられ、後面には温度調節用の通気窓５が設けられている。
【００１２】
バッグ本体２は、略直方体に形成されており、素材は特に限定されるものではなく、布、皮革、合成樹脂製シート等任意の材料で形成することができる。バッグ本体２の周面と底面は、図２に示すように、発泡プラスチック板あるいは断熱性のある板等による断熱材７を包み込むことによって形成されており、前記出入口３と通気窓５の部分では前記断熱材７はくり抜かれている。発泡プラスチック板として、例えばウレタン樹脂を用いることができる。前記断熱材７によってバッグ本体２内部の冷却又は暖房の状態を保持することができる。
【００１３】
周壁の対向する内面には、蓄冷材又は蓄熱材等の温度調節材８を収納するポケット９が設けられている。ポケット９を形成する内側地１０の上端部は、温度調節材８の出し入れが可能なように開口されており、周壁内面との間に設けられた面ファスナー１１によって開閉自在とされている。前記内側地１０は、ポケット９に収納された温度調節材８による冷熱又は温熱を効率よく循環させるために通気性を有している。前記通気性は内側地１０の全面に有するように形成してもよいが、下部にのみ形成することが好ましい。
【００１４】
内側地１０の全面に通気性を持たせた場合には、内側地１０の全体から冷気又は暖気が入ってくることになり、ペットにとっては冷えすぎたり暑すぎるということになるおそれがある。そこで、内側地１０の下部にのみ通気性を持たせることによって、少しずつ下方から冷気又は暖気が入ってくることになるから、ペットにとって快適に過ごすことができる。
【００１５】
ポケット９を形成する内側地１０の上端部を開閉する構成は面ファスナー１１に限定するものではなく、ボタン、スライドファスナー、ホック等公知の手段を用いることができる。
【００１６】
バッグ本体２の前面に設けられた出入口６は、三辺に設けたスライドファスナー１３によって開閉されるように形成されており、前記スライドファスナー１３は、２個のスライダーを付き合わせた頭合わせスライダーであって、上部から両側下部に向かって開閉するように構成されている。したがって、スライダーの位置を調節することによって、出入口３の開口の大きさを調節することができる。
【００１７】
前記スライドファスナー１３に代えて、ボタン、面ファスナー、ホック等の公知手段によって構成することができることは勿論である。
【００１８】
次に、バッグ本体２上面の蓋４の構成について説明する。蓋４は、バッグ本体２の周壁上端部との間に設けられたスライドファスナー１５によって三辺が開閉し一辺が折曲自在に連接されている。スライドファスナー１５は、実施例では２個のスライダーを付き合わせた頭合わせスライダーを使用したが、スライダーが１個のオープンファスナーであってもよい。蓋４を開くことにより上面が開口され、温度調節材８の出し入れや収容室の掃除を行うことができる。
【００１９】
前記蓋４には、覗き窓１７が設けられている。前記除き窓１７は、開口部１９と網目部２０とによって形成されている。前記開口部１９は、収容したペットが頭部を出して外を見ることができる大きさに形成されており、網目部２０は、中のペットが透けて見えるように荒い格子状に形成されていることが好ましい。
【００２０】
さらに、前記蓋４には、前記覗き窓１７を塞ぐ蓋２１が設けられている。蓋２１は、図３に示すように、除き窓１７の周囲に設けられてスライドファスナー２３によって三辺が開閉し一辺が折曲自在となるように連接されている。スライドファスナー２３を閉じると覗き窓１７は塞がれて、収容室内部の温度を保持し、またスライドファスナー２３を開くとペットを覗き見たり、収容室内部の温度を調節することができる。また、前記蓋２１を開けることによってペットに直接話しかけたり触れることができる。
【００２１】
尚、蓋４、蓋２１が開閉可能な構成であれば、上記スライドファスナー１５，２３を任意の公知の手段に変更することができる。例えば、面ファスナー、ボタン、ホック等に変更してもよい。
【００２２】
次いで、バッグ本体２の後面に設けられる通気窓５について説明する。通気窓５は、図４に示すように、通気可能な網目部２５と垂れ幕２６によって形成されている。前記網目部２５は、通気性を有すればよく、バッグ本体２の後面の断熱材７を切り欠いた部分に設けられている。垂れ幕２６は、上端部が固着されており、フリーな下端部から上方に巻き上げられるようになっている。垂れ幕２６の内側面とバッグ本体２の後面には垂れ幕２６を固着しておくための面ファスナー２７がそれぞれ対応して設けられている。なお、面ファスナー２７は、他の固着手段、たとえば、ボタン、ホック、スライドファスナー等に変更することができる。
【００２３】
また、前記垂れ幕２６の上端部に位置するバッグ本体２には、綴じ紐２９,３０が取り付けられている。綴じ紐２９は垂れ幕２６の外面に接し、綴じ紐３０は垂れ幕２６の内面に接するように取り付けられており、垂れ幕２６を巻き上げた場合に、前記綴じ紐２９,３０によって束ねておくことができる。垂れ幕２６の巻上げの程度によって網目部２５の開口の大きさを調節することができる。
【００２４】
上記バッグ本体２の対向する側面には、後述する台車に固定するためワンタッチ開放操作の差込バックル３１のプラグ（オス）３１ａまたはソケット（メス）３１ｂのいずれか一方が取り付けられている。前記差込バックル３１のプラグ（オス）３１ａまたはソケット（メス）３１ｂは、バッグ本体２と台車を組み合わせて牽引したときにより安定するように、バッグ本体２に対して斜め方向に取り付けられている。図示する実施例では、ハの字状に取り付けられている（図１参照）。
【００２５】
次に、この発明の台車とペット用キャリーバッグの組合せ構造にかかるペット用キャリーバッグと台車３３について説明する。台車３３は、図１および図５に示すように、荷台３５の側端縁に平面視コの字状の側板３６を対向するように立設してなり、下面にはキャスター３７が設けられている。前記荷台３５は、組み合わせるペット用キャリーバッグが側板３６の間に嵌まり込むように、ペット用キャリーバッグの大きさに合わせて形成されている。
【００２６】
ワンタッチ開放操作の差込バックル３１のソケット（メス）３１ｂまたはプラグ（オス）３１ａのいずれか一方が取り付けられている。ワンタッチ開放操作の差込バックル３１のソケット（メス）３１ｂまたはプラグ（オス）３１ａのいずれか一方は、バッグ本体２に取り付けられたプラグ（オス）３１ａまたはソケット（メス）３１ｂと対向するように斜め方向に取り付けられている。
【００２７】
バッグ本体２に取り付けられたプラグ（オス）３１ａまたはソケット（メス）３１ｂと台車３３の側板３６に取り付けられたソケット（メス）３１ｂまたはプラグ（オス）３１ａとは、それぞれ差し込むことによって両者を確実に連結することができる。
なお、前記差込バックルは、ペット用キャリーバッグと組み合わせて使用する台車３３とを固定するための固定手段であって、結び紐等に変更してもよい。また、バッグ本体２と台車３５に取り付ける差込バックルの取り付け方向は、斜めに限定されるものではなく垂直方向であってもよいのはもちろんである。
【００２８】
さらに、前記側板３６には折りたたみ式ハンドル３９が取り付けられている。ハンドル３９は、側板３６の端縁部の外面に回動自在に軸着されており、移動するときには台車３３を前方に引っ張って走行させることができ、使用しないときには倒して側板３６と差込バックル３１との間に折りたたむことができる。
【００２９】
図６は、台車３３の他の実施形態を示し、分割形成してなる構成部材を前後方向にスライドさせることによって大きさを変更できるようにしたものである。すなわち、台車４０は、二分割された前方部４０Ａと後方部４０Ｂをスライド可能に組み合わせてなる。前方部４０Ａは、後方部４０Ｂと連結する部分が拡幅された受け部４０ａとされており、前記受け部４０ａの間に後方部４０Ｂの挿入部４０ｂが挿入されるように構成されている。
【００３０】
一方、前方部４０Ａと連結する後方部４０Ｂの挿入部４０ｂは、荷台３５の部分が段部３５ａに形成されており、前記段部３５ａが前方部４０Ａの受け部４０ａの荷台部分に載置される。前記受け部４０ａの側板３６ａには透孔４１が複数列に穿設されており、一方後方部４０Ｂの側板３６には一列に透孔４２が穿設されている。前記透孔４１,４２をつき合わせて固定手段によって固定すればよい。固定手段としては、たとえば、ボルトとナットを使用することができる。
【００３１】
なお、差込バックル３１とキャスター３７は、前方部４０Ａと後方部４０Ｂにそれぞれ設けられており、折りたたみ式ハンドル３９は前方部４０Ａに設けられている。これらの構成は荷台３５において説明したところと変わらないのでその説明は簡略化のために省略する。
【００３２】
この発明に係るペット用キャリーバッグ１は、上記のように構成したので室内のペット居住環境を良好に維持することができる。即ち、ポケット９内に、夏季であれば蓄冷材を収納し、冬季であれば蓄熱材を収納すると、周壁は断熱材７によって形成されており室内側にのみ通気可能であるから、冷気又は暖気が室内に流入することによって室内が冷却又は暖房されることになる。また、内側地１０の下部にのみ通気性を持たせた場合には、冷気又は暖気が少しずつ下方から入ってくることになるからペットにとって快適に過ごすことができる。
【００３３】
また、後面に設けた通気窓５の垂れ幕２６を巻き上げて通気量を調節することによって、冷え過ぎや暖め過ぎを防止することができる。また、バッグ本体２の上面に蓋付の覗き窓１７を有する蓋４を設けたから、蓋４を開けることによりポケット９内の温度調節材を容易に出し入れしたり掃除をすることができ、覗き窓１７の蓋２１を開けることにより収容室内の温度を調節することができると共に、ペットに声おかけたり触ったりすることができる。
【００３４】
台車と組み合わせられるペット用キャリーバッグ１の側面には、手提げバンド３とともに差込バックル３１のプラグ（オス）３１ａまたはソケット（メス）３１ｂを一体に取り付けられているから、手に提げたり肩に担いだりして運搬することができる。さらに、差込バックル３１のソケット（メス）３１ｂまたはプラグ（オス）３１ａが取り付けられた台車３５,４０と組み合わせることによって牽引して運搬することができる。
【００３５】
また、ペット用キャリーバッグ１と台車３５,４０とは、差込バックルにより着脱自在に組み合わせる構成としたから、室内や自動車の座席に乗せるときには、台車３５,４０を外してペット用キャリーバッグ１だけを乗せることができる。
【００３６】
さらに、台車３５，４０はペット用キャリーバッグ１を取り外せば通常の荷物運搬用の台車としても使用することができる。台車４０にあっては、長さ方向を調節することができるので、大きさが異なる複数のペット用キャリーバッグ１に対応することができる。
【００３７】
なお、上記説明から明らかなように、台車とペット用キャリーバッグの組合せ構造におけるペット用キャリーバッグは、側面に差込バックルの一方側が取り付けられていれば足り、必ずしも温度調節材を収納するポケットを設ける必要はなく適宜省略することができる。また、この発明に係るペット用キャリーバッグの外面には、公知構造のポケットを設けることができる。
【図面の簡単な説明】
【００３８】
【図１】本発明の実施形態に係るペット用キャリーバッグと台車とを分離した状態の上面斜視図である。
【図２】ペット用キャリーバッグの縦断面図である。
【図３】ペット用キャリーバッグの上部を示し蓋が開いた状態の上面斜視図である。
【図４】ペット用キャリーバッグの後面を示す説明用斜視図である。
【図５】台車の側面図である。
【図６】台車の他の実施形態を示す説明用上面斜視図である。
【符号の説明】
【００３９】
１：ペット用キャリーバッグ
２：バッグ本体  
３：手提げバンド
４：蓋
５：通気窓
６：ペットの出入口
７：断熱材
８：温度調節材
９：ポケット
１０：内側地
１１：面ファスナー
１３：スライドファスナー
１５：スライドファスナー
１７：覗き窓
１９：開口部
２０：網目部  
２１：蓋
２３：スライドファスナー
２５：網目部
２６：閉じ蓋  
２７：面ファスナー
２９,３０：綴じ紐
３１：差込バックル
３３：台車
３５：荷台
３６：側板  
３７：キャスター
３９：折りたたみ式ハンドル
４０：台車
【図１】
2009065905.tif 000003
【図２】
2009065905.tif 000004
【図３】
2009065905.tif 000005
【図４】
2009065905.tif 000006
【図５】
2009065905.tif 000007
【図６】
2009065905.tif 000008